(57)【要約】【課題】DVDの規格にしたがいつつ、自由度の高いメタデータの記録をする。【解決手段】DVDの規格で規定されている、タイトル#nのメタデータALT_REC_NMを含む制御情報VRMI_RECI#nには、メタデータALT_REC_NMとは別のユーザメタデータが記録されるユーザメタデータ領域がDVDに確保されているかどうかを表すユーザメタデータフラグが含まれている。そして、ユーザメタデータフラグに基づいて、ユーザメタデータ領域がDVDに確保されているかどうかが判定され、ユーザメタデータ領域がDVDに確保されていないと判定された場合には、DVDのタイトルが記録される領域の先頭に、ユーザメタデータ領域が確保される。本発明は、例えば、DVDレコーダ等に適用できる。【選択図】図５
2006302445.tif 000002
【特許請求の範囲】
【請求項１】
所定の規格にしたがって、実データと、前記実データの再生を制御するのに用いられる制御情報とが記録される記録媒体に対する前記実データの記録を制御する記録制御装置において、
前記制御情報は、前記実データのメタデータと、そのメタデータとは別のユーザメタデータが記録されるユーザメタデータ領域が前記記録媒体に確保されているかどうかを表すフラグ情報とを含み、
前記フラグ情報に基づいて、前記ユーザメタデータ領域が前記記録媒体に確保されているかどうかを判定する判定手段と、
前記判定手段において、前記ユーザメタデータ領域が前記記録媒体に確保されていないと判定された場合、前記記録媒体の実データが記録される領域の一部に、前記ユーザメタデータ領域を確保する確保手段と
を備えることを特徴とする記録制御装置。
【請求項２】
前記ユーザメタデータは、前記実データ全体に関するメタデータを含む
ことを特徴とする請求項１に記載の記録制御装置。
【請求項３】
前記実データは、時系列のデータであり、
前記ユーザメタデータは、前記時系列のデータの所定の間隔ごとのデータに関するメタデータを含む
ことを特徴とする請求項１に記載の記録制御装置。
【請求項４】
前記判定手段において、前記ユーザメタデータ領域が前記記録媒体に確保されていると判定された場合、前記記録媒体の前記ユーザメタデータ領域に記録された前記ユーザメタデータを読み出す読み出し手段をさらに備える
ことを特徴とする請求項１に記載の記録制御装置。
【請求項５】
所定の規格にしたがって、実データと、前記実データの再生を制御するのに用いられる制御情報とが記録される記録媒体に対する前記実データの記録を制御する記録制御方法において、
前記制御情報は、前記実データのメタデータと、そのメタデータとは別のユーザメタデータが記録されるユーザメタデータ領域が前記記録媒体に確保されているかどうかを表すフラグ情報とを含み、
前記フラグ情報に基づいて、前記ユーザメタデータ領域が前記記録媒体に確保されているかどうかを判定する判定ステップと、
前記判定ステップにおいて、前記ユーザメタデータ領域が前記記録媒体に確保されていないと判定された場合、前記記録媒体の実データが記録される領域の一部に、前記ユーザメタデータ領域を確保する確保ステップと
を含むことを特徴とする記録制御方法。
【請求項６】
所定の規格にしたがって、実データと、前記実データの再生を制御するのに用いられる制御情報とが記録される記録媒体に対して前記実データを記録する記録装置を制御するコンピュータに実行させるプログラムにおいて、
前記制御情報は、前記実データのメタデータと、そのメタデータとは別のユーザメタデータが記録されるユーザメタデータ領域が前記記録媒体に確保されているかどうかを表すフラグ情報とを含み、
前記フラグ情報に基づいて、前記ユーザメタデータ領域が前記記録媒体に確保されているかどうかを判定する判定ステップと、
前記判定ステップにおいて、前記ユーザメタデータ領域が前記記録媒体に確保されていないと判定された場合、前記記録媒体の実データが記録される領域の一部に、前記ユーザメタデータ領域を確保する確保ステップと
を含むことを特徴とする処理を、コンピュータに実行させるプログラム。
【請求項７】
所定の規格にしたがって、実データと、前記実データの再生を制御するのに用いられる制御情報とが記録される記録媒体からの前記実データの再生を制御する再生制御装置において、
前記制御情報は、前記実データのメタデータと、そのメタデータとは別のユーザメタデータが記録されるユーザメタデータ領域が前記記録媒体に確保されているかどうかを表すフラグ情報とを含み、
前記フラグ情報に基づいて、前記ユーザメタデータ領域が前記記録媒体に確保されているかどうかを判定する判定手段と、
前記判定手段において、前記ユーザメタデータ領域が前記記録媒体に確保されていると判定された場合、前記記録媒体の前記ユーザメタデータ領域に記録された前記ユーザメタデータを読み出す読み出し手段と
を備えることを特徴とする再生制御装置。
【請求項８】
前記ユーザメタデータは、前記実データ全体に関するメタデータを含む
ことを特徴とする請求項７に記載の再生制御装置。
【請求項９】
前記実データは、時系列のデータであり、
前記ユーザメタデータは、前記時系列のデータの所定の間隔ごとのデータに関するメタデータを含む
ことを特徴とする請求項７に記載の再生制御装置。
【請求項１０】
所定の規格にしたがって、実データと、前記実データの再生を制御するのに用いられる制御情報とが記録される記録媒体からの前記実データの再生を制御する再生制御方法において、
前記制御情報は、前記実データのメタデータと、そのメタデータとは別のユーザメタデータが記録されるユーザメタデータ領域が前記記録媒体に確保されているかどうかを表すフラグ情報とを含み、
前記フラグ情報に基づいて、前記ユーザメタデータ領域が前記記録媒体に確保されているかどうかを判定する判定ステップと、
前記判定ステップにおいて、前記ユーザメタデータ領域が前記記録媒体に確保されていると判定された場合、前記記録媒体の前記ユーザメタデータ領域に記録された前記ユーザメタデータを読み出す読み出しステップと
を含むことを特徴とする再生制御方法。
【請求項１１】
所定の規格にしたがって、実データと、前記実データの再生を制御するのに用いられる制御情報とが記録される記録媒体から前記実データを再生する再生装置を制御するコンピュータに実行させるプログラムにおいて、
前記制御情報は、前記実データのメタデータと、そのメタデータとは別のユーザメタデータが記録されるユーザメタデータ領域が前記記録媒体に確保されているかどうかを表すフラグ情報とを含み、
前記フラグ情報に基づいて、前記ユーザメタデータ領域が前記記録媒体に確保されているかどうかを判定する判定ステップと、
前記判定ステップにおいて、前記ユーザメタデータ領域が前記記録媒体に確保されていると判定された場合、前記記録媒体の前記ユーザメタデータ領域に記録された前記ユーザメタデータを読み出す読み出しステップと
を含むことを特徴とする処理を、コンピュータに実行させるプログラム。
【請求項１２】
所定の規格にしたがって、実データと、前記実データの再生を制御するのに用いられる制御情報とが記録される記録媒体において、
前記制御情報は、前記実データのメタデータと、そのメタデータとは別のユーザメタデータが記録されるユーザメタデータ領域が前記記録媒体に確保されているかどうかを表すフラグ情報とを含み、
前記フラグ情報が、前記ユーザメタデータ領域が前記記録媒体に確保されていることを表しているとき、前記記録媒体の実データが記録されている領域の一部を、前記ユーザメタデータ領域として、前記ユーザメタデータが記録されている
ことを特徴とする記録媒体。
【発明の詳細な説明】
【技術分野】
【０００１】
本発明は、記録制御装置および記録制御方法、再生制御装置および再生制御方法、プログラム、並びに記録媒体に関し、特に、例えば、DVD(Digital Versatile Disc)などのように、規格によってメタデータの記録が制限されている場合に、規格にしたがいつつ、自由度の高いメタデータの記録をすることができるようにする記録制御装置および記録制御方法、再生制御装置および再生制御方法、プログラム、並びに記録媒体に関する。
【背景技術】
【０００２】
例えば、DVDの規格では、画像等の実データの他に、実データの再生の制御（実データのファイルの管理）に用いられる制御情報（管理情報）を記録することが規定されている。
【０００３】
例えば、DVDレコーダにおいて、録画を指令する録画ボタンが操作されてから、停止を指令する停止ボタンが操作されるまでの間にDVDに記録された一連の実データは、タイトルと呼ばれるが、DVDの規格において、各タイトルには、64バイトのメタデータを付することができることが規定されている。
【０００４】
即ち、DVDの規格では、ファイル"VIDEO_RM.IFO"に記録されるVRMI(Video Recording Manager Information)と呼ばれる情報が、制御情報の１つとして規定されている。
【０００５】
VRMIには、タイトル#nの再生の制御に用いられるVRMI_RECI#nと呼ばれる制御情報が含まれ、VRMI_RECI#nには、ALT_REC_NMと呼ばれるテキストの情報が含まれる。ALT_REC_NMは、タイトル#nの情報、即ち、タイトル#nのメタデータとしての、例えば、タイトル#nのタイトル名として使用することが許されている。
【０００６】
ところで、DVDの規格では、ALT_REC_NMは64バイトとすることが規定されている。従って、タイトル#nのメタデータとして、64バイトを超えるメタデータは、ALT_REC_NMとして記録することができない。
【０００７】
しかしながら、DVDの用途によっては、タイトル#nのメタデータとして、64バイトを超えるメタデータを記録することを要請されることがある。
【０００８】
ここで、例えば、特許文献１には、DVDの記録領域に、DVDの規格に準拠した記録を行うDVDビデオ用領域と、拡張ファイルを記録する拡張ファイル用領域と設け、DVDの規格に規定されていない、例えば静止画のデータなどを、拡張ファイル用領域に記録することが記載されている。
【０００９】
【特許文献１】特開2004-022043号公報
【発明の開示】
【発明が解決しようとする課題】
【００１０】
本発明は、このような状況に鑑みてなされたものであり、例えば、DVD等の記録媒体の規格にしたがいつつ、自由度の高いメタデータの記録をすることができるようにするものである。
【課題を解決するための手段】
【００１１】
本発明の記録制御装置、記録制御方法、および第１のプログラムは、記録媒体に記録される制御情報が、実データのメタデータと、そのメタデータとは別のユーザメタデータが記録されるユーザメタデータ領域が記録媒体に確保されているかどうかを表すフラグ情報とを含み、フラグ情報に基づいて、ユーザメタデータ領域が記録媒体に確保されているかどうかを判定する判定手段／ステップと、判定手段／ステップにおいて、ユーザメタデータ領域が記録媒体に確保されていないと判定された場合、記録媒体の実データが記録される領域の一部に、ユーザメタデータ領域を確保する確保手段／ステップとを含むことを特徴とする。
【００１２】
この記録制御装置、記録制御方法、および第１のプログラムにおいては、フラグ情報に基づいて、ユーザメタデータ領域が記録媒体に確保されているかどうかが判定され、ユーザメタデータ領域が記録媒体に確保されていないと判定された場合、記録媒体の実データが記録される領域の一部に、ユーザメタデータ領域が確保される。
【００１３】
本発明の再生制御装置、再生制御方法、および第２のプログラムは、記録媒体に記録される制御情報が、実データのメタデータと、そのメタデータとは別のユーザメタデータが記録されるユーザメタデータ領域が記録媒体に確保されているかどうかを表すフラグ情報とを含み、フラグ情報に基づいて、ユーザメタデータ領域が記録媒体に確保されているかどうかを判定する判定手段／ステップと、判定手段／ステップにおいて、ユーザメタデータ領域が記録媒体に確保されていると判定された場合、記録媒体のユーザメタデータ領域に記録されたユーザメタデータを読み出す読み出し手段／ステップとを備えることを特徴とする。
【００１４】
この再生制御装置、再生制御方法、および第２のプログラムにおいては、フラグ情報に基づいて、ユーザメタデータ領域が記録媒体に確保されているかどうかが判定され、ユーザメタデータ領域が記録媒体に確保されていると判定された場合、記録媒体のユーザメタデータ領域に記録されたユーザメタデータが読み出される。
【００１５】
本発明の記録媒体は、実データと、実データの再生を制御するのに用いられる制御情報とが記録される記録媒体において、制御情報が、実データのメタデータと、そのメタデータとは別のユーザメタデータが記録されるユーザメタデータ領域が記録媒体に確保されているかどうかを表すフラグ情報とを含み、フラグ情報が、ユーザメタデータ領域が記録媒体に確保されていることを表しているとき、記録媒体の実データが記録されている領域の一部を、ユーザメタデータ領域として、ユーザメタデータが記録されていることを特徴とする。
【００１６】
この記録媒体においては、制御情報が、実データのメタデータと、そのメタデータとは別のユーザメタデータが記録されるユーザメタデータ領域が記録媒体に確保されているかどうかを表すフラグ情報とを含んでおり、フラグ情報が、ユーザメタデータ領域が記録媒体に確保されていることを表しているとき、記録媒体の実データが記録されている領域の一部を、ユーザメタデータ領域として、ユーザメタデータが記録されている。
【発明の効果】
【００１７】
本発明によれば、自由度の高いメタデータの記録をすること等が可能となる。
【発明を実施するための最良の形態】
【００１８】
以下に本発明の実施の形態を説明するが、特許請求の範囲に記載の構成要件と、発明の実施の形態における具体例との対応関係を例示すると、次のようになる。この記載は、特許請求の範囲に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１９】
さらに、この記載は、発明の実施の形態に記載されている具体例に対応する発明が、特許請求の範囲に全て記載されていることを意味するものではない。換言すれば、この記載は、発明の実施の形態に記載されている具体例に対応する発明であって、この出願の特許請求の範囲には記載されていない発明の存在、すなわち、将来、分割出願されたり、補正により追加される発明の存在を否定するものではない。
【００２０】
請求項１に記載の記録制御装置は、
所定の規格にしたがって、実データと、前記実データの再生を制御するのに用いられる制御情報とが記録される記録媒体（例えば、図１のDVD９２）に対する前記実データの記録を制御する記録制御装置（例えば、図１の記録再生装置）において、
前記制御情報（例えば、図５のVRMI_RECI#i）は、前記実データのメタデータ（例えば、図５のALT_REC_NM）と、そのメタデータとは別のユーザメタデータが記録されるユーザメタデータ領域が前記記録媒体に確保されているかどうかを表すフラグ情報（例えば、図５のユーザメタデータフラグ）とを含み、
前記フラグ情報に基づいて、前記ユーザメタデータ領域が前記記録媒体に確保されているかどうかを判定する判定手段（例えば、図９のステップＳ１乃至Ｓ１０のユーザメタデータ判定処理を行う図８のメタデータ制御部２０１）と、
前記判定手段において、前記ユーザメタデータ領域が前記記録媒体に確保されていないと判定された場合、前記記録媒体の実データが記録される領域の一部に、前記ユーザメタデータ領域を確保する確保手段（例えば、図１０のステップＳ３２の処理を行う図８のメタデータ制御部２０１）と
を備えることを特徴とする。
【００２１】
請求項４に記載の記録制御装置は、
前記判定手段において、前記ユーザメタデータ領域が前記記録媒体に確保されていると判定された場合、前記記録媒体の前記ユーザメタデータ領域に記録された前記ユーザメタデータを読み出す読み出し手段（例えば、図９のステップＳ１２の処理を行う図８のメタデータ制御部２０１）をさらに備える
ことを特徴とする。
【００２２】
請求項５に記載の記録制御方法は、
所定の規格にしたがって、実データと、前記実データの再生を制御するのに用いられる制御情報とが記録される記録媒体（例えば、図１のDVD９２）に対する前記実データの記録を制御する記録制御方法において、
前記制御情報（例えば、図５のVRMI_RECI#i）は、前記実データのメタデータ（例えば、図５のALT_REC_NM）と、そのメタデータとは別のユーザメタデータが記録されるユーザメタデータ領域が前記記録媒体に確保されているかどうかを表すフラグ情報（例えば、図５のユーザメタデータフラグ）とを含み、
前記フラグ情報に基づいて、前記ユーザメタデータ領域が前記記録媒体に確保されているかどうかを判定する判定ステップ（例えば、図９のステップＳ１乃至Ｓ１０）と、
前記判定ステップにおいて、前記ユーザメタデータ領域が前記記録媒体に確保されていないと判定された場合、前記記録媒体の実データが記録される領域の一部に、前記ユーザメタデータ領域を確保する確保ステップ（例えば、図１０のステップＳ３２）と
を含むことを特徴とする。
【００２３】
請求項６に記載のプログラムの各ステップが対応する具体例は、請求項５に記載の各ステップが対応する具体例と同様である。
【００２４】
請求項７に記載の記録再制御装置は、
所定の規格にしたがって、実データと、前記実データの再生を制御するのに用いられる制御情報とが記録される記録媒体（例えば、図１のDVD９２）からの前記実データの再生を制御する再生制御装置（例えば、図１の記録再生装置）において、
前記制御情報（例えば、図５のVRMI_RECI#i）は、前記実データのメタデータ（例えば、図５のALT_REC_NM）と、そのメタデータとは別のユーザメタデータが記録されるユーザメタデータ領域が前記記録媒体に確保されているかどうかを表すフラグ情報（例えば、図５のユーザメタデータフラグ）とを含み、
前記フラグ情報に基づいて、前記ユーザメタデータ領域が前記記録媒体に確保されているかどうかを判定する判定手段（例えば、図９のステップＳ１乃至Ｓ１０のユーザメタデータ判定処理を行う図８のメタデータ制御部２０１）と、
前記判定手段において、前記ユーザメタデータ領域が前記記録媒体に確保されていると判定された場合、前記記録媒体の前記ユーザメタデータ領域に記録された前記ユーザメタデータを読み出す読み出し手段（例えば、図９のステップＳ１２の処理を行う図８のメタデータ制御部２０１）と
を備えることを特徴とする。
【００２５】
請求項１０に記載の再生制御方法は、
所定の規格にしたがって、実データと、前記実データの再生を制御するのに用いられる制御情報とが記録される記録媒体（例えば、図１のDVD９２）からの前記実データの再生を制御する再生制御方法において、
前記制御情報（例えば、図５のVRMI_RECI#i）は、前記実データのメタデータ（例えば、図５のALT_REC_NM）と、そのメタデータとは別のユーザメタデータが記録されるユーザメタデータ領域が前記記録媒体に確保されているかどうかを表すフラグ情報（例えば、図５のユーザメタデータフラグ）とを含み、
前記フラグ情報に基づいて、前記ユーザメタデータ領域が前記記録媒体に確保されているかどうかを判定する判定ステップ（例えば、図９のステップＳ１乃至Ｓ１０）と、
前記判定ステップにおいて、前記ユーザメタデータ領域が前記記録媒体に確保されていると判定された場合、前記記録媒体の前記ユーザメタデータ領域に記録された前記ユーザメタデータを読み出す読み出しステップ（例えば、図９のステップＳ１２）と
を含むことを特徴とする。
【００２６】
請求項１１に記載のプログラムの各ステップが対応する具体例は、請求項１０に記載の各ステップが対応する具体例と同様である。
【００２７】
請求項１２に記載の記録媒体は、
所定の規格にしたがって、実データと、前記実データの再生を制御するのに用いられる制御情報とが記録される記録媒体（例えば、図１のDVD９２）において、
前記制御情報（例えば、図５のVRMI_RECI#i）は、前記実データのメタデータ（例えば、図５のALT_REC_NM）と、そのメタデータとは別のユーザメタデータが記録されるユーザメタデータ領域が前記記録媒体に確保されているかどうかを表すフラグ情報（例えば、図５のユーザメタデータフラグ）とを含み、
前記フラグ情報が、前記ユーザメタデータ領域が前記記録媒体に確保されていることを表しているとき、前記記録媒体の実データが記録されている領域の一部を、前記ユーザメタデータ領域として、前記ユーザメタデータが記録されている
ことを特徴とする。
【００２８】
以下、図面を参照して、本発明の実施の形態について説明する。
【００２９】
図１は、本発明を適用した記録再生装置の一実施の形態の構成例を示している。
【００３０】
図１の記録再生装置は、例えば、医療の用途に適したDVDレコーダで、いわゆる超音波診断装置で撮影された画像や、胃カメラで撮影された画像等の記録や再生に用いられる。
【００３１】
即ち、例えば、検査技師が、超音波診断装置等の医療機器（診断用の機器）を操作することによって、各種の診断用の画像を撮影し、その画像を、図１の記録再生装置によって、DVD９２に記録する。その後、医師は、図１の記録再生装置によって、DVD９２に記録された画像を再生し、その画像を見ながら診察を行う。
【００３２】
ここで、以下、適宜、図１の記録再生装置を、DVDレコーダという。
【００３３】
図１のDVDレコーダにおいて、電源スイッチブロック１は、電源ボタン２１を有し、電源ボタン２１は、ユーザによって、オンまたはオフ操作され、その操作に対応した操作信号を、コネクタ(CN)２２を介して、ユーザインタフェースブロック２に供給する。
【００３４】
なお、電源スイッチブロック１は、コネクタ２２を有し、コネクタ２２は、ユーザインタフェースブロック２のコネクタ３４と接続されている。
【００３５】
ユーザインタフェースブロック２において、マイクロコンピュータ３１は、各種の制御を行う。
【００３６】
即ち、マイクロコンピュータ３１には、電源スイッチブロック１の電源ボタン２１からコネクタ２２および３４を介して、電源ボタン２１の操作に対応した操作信号が供給されるようになっており、マイクロコンピュータ３１は、例えば、その操作信号にしたがい、ユーザインタフェースブロック２が有するコネクタ３６、並びに記録再生制御ブロック６が有するコネクタ７６および７７を介して、パワーユニット４を制御する。
【００３７】
また、マイクロコンピュータ３１は、ボタン部３２からの操作信号にしたがい、コネクタ３６および７６を介して、記録再生制御ブロック６が有するCPU６１を制御する。さらに、マイクロコンピュータ３１は、ユーザインタフェースブロック２が有するディスプレイ３３の表示の制御その他の処理を行う。
【００３８】
ボタン部３２は、ユーザによって操作される各種のボタンを有し、ユーザによって操作されると、その操作に対応した操作信号を、マイクロコンピュータ３１に供給する。
【００３９】
ここで、ボタン部３２には、DVD９２に記録（録画）された画像データや音声データ（オーディオデータ）等の実データを再生するときに操作される「再生」ボタン、実データの再生や記録を停止するときに操作される「停止」ボタン、現在再生しているチャプタの次の先頭にジャンプするときに操作される「ネクスト」ボタン、現在再生しているチャプタの先頭にジャンプするときに操作される「プレビアス」ボタン、実データの再生や記録を一時停止（ポーズ）するときに操作される「ポーズ」ボタン、DVD９２に実データを記録するときに操作される「録画」ボタンが設けられている。その他、ボタン部３２には、ディスプレイ３３に、各種の設定を行うための、図示せぬメニューを表示させる「メニュー」ボタンや、DVDドライブ９の図示せぬディスクトレイを開閉するときに操作される「オープン／クローズ」ボタンなども設けられている。
【００４０】
なお、「録画」ボタンが操作されることによって、DVD９２への実データの記録が開始され、その後、「停止」ボタンが操作されることによって、DVD９２への実データの記録が停止されるが、この「録画」ボタンが操作されてから、「停止」ボタンが操作されるまでの間にDVD９２に記録された一連の実データは、タイトルと呼ばれる。
【００４１】
また、DVD９２への実データの記録中に、「ポーズ」ボタンが操作されると、DVD９２への実データの記録が一時停止されるが、その一時停止がされたデータの位置には、インデックスと呼ばれる見出し（目印）が付される。あるインデックス（またはタイトルの先頭）から、次のインデックス（またはタイトルの最後）までの区間（の実データ）は、チャプタと呼ばれる。
【００４２】
ディスプレイ３３は、マイクロコンピュータ３１の制御にしたがって、例えば、メニューや、DVDレコーダの状態等の各種の表示を行う。
【００４３】
なお、ユーザインタフェースブロック２は、コネクタ３４，３５，３６を有する。コネクタ３４は、電源スイッチブロック１のコネクタ２２と接続されている。コネクタ３５は、リモートコントロールインタフェースブロック３のコネクタ４１と接続されている。コネクタ３６は、記録再生制御ブロック６のコネクタ７６と接続されている。
【００４４】
リモートコントロールインタフェースブロック３は、コネクタ４１を有し、コネクタ４１は、ユーザインタフェースブロック２のコネクタ３５と接続されている。また、リモートコントロールインタフェースブロック３は、DVDレコーダの筐体表面に設けられた端子４２および４３と接続されている。
【００４５】
端子４２と４３には、DVDレコーダをリモートコントロールするときに操作されるリモートコントローラ１０１や、足での操作に適したフットスイッチ１０２を接続することができる。リモートコントローラ１０１やフットスイッチ１０２は、ユーザの操作に応じた操作信号を出力し、この操作信号は、端子４２または４３、リモートコントロールインタフェースブロック３のコネクタ４１、ユーザインタフェースブロック２のコネクタ３５を介して、マイクロコンピュータ３１に供給される。マイクロコンピュータ３１は、このようにしてリモートコントローラ１０１やフットスイッチ１０２から供給される操作信号にもしたがって、各種の制御を行う。
【００４６】
パワーユニット４は、記録再生制御ブロック６のコネクタ７７に接続されており、このコネクタ７７を経由して、DVDレコーダを構成する各ブロックに必要な電源を供給する。
【００４７】
AV(Audio Visual)インタフェースブロック５は、コネクタ５１および５２を有し、コネクタ５１は、DVDレコーダの筐体表面に設けられた端子５３，５４，５５，５６と接続され、コネクタ５２は、冷却用のファン７と接続されている。
【００４８】
ここで、端子５３は、画像の入力用の端子であり、端子５４は、音声の入力用の端子である。また、端子５５は、画像の出力用の端子であり、端子５６は、音声の出力用の端子である。
【００４９】
端子５３と５４には、例えば、超音波診断装置等の医療（診察）機器１０４を接続し、その端子５３と５４から、それぞれ、医療機器１０４が出力する画像データと音声データを、DVDレコーダに入力することができる。
【００５０】
端子５５には、例えば、テレビジョン受像機などの画像を表示するモニタ１０５を接続することができ、端子５６には、音声を出力するスピーカを接続することができる。
【００５１】
なお、端子５３乃至５６が接続されているコネクタ５１は、記録再生制御ブロック６が有するコネクタ８１に接続されている。
【００５２】
記録再生制御ブロック６は、HD(Hard Disk)９１とDVD９２に対するデータの記録および再生を制御する。
【００５３】
即ち、記録再生制御ブロック６において、CPU(Central Processing Unit)６１は、例えば、フラッシュメモリ６２に記憶されたプログラムを実行することにより、必要に応じて、バス６０やコネクタ７６から供給される信号に基づき、各種の処理を実行する。
【００５４】
フラッシュメモリ６２は、バス６０に接続されており、CPU６１が実行するプログラムや、CPU６１が処理を行う上で必要なデータを記憶している。SDRAM(Synchronous Dynamic Random Access Memory)６３は、バス６０に接続されており、CPU６１の動作上必要なデータ等を一時記憶する。
【００５５】
PHY部６４は、IEEE(Institute of Electrical and Electronics Engineers)1394の規格に準拠した通信（IEEE1394通信）の物理層（OSI(Open System Interconnection)参照モデルの物理層）の処理を行う。
【００５６】
即ち、PHY部６４には、端子８５から、記録再生制御ブロック６が有するコネクタ８０を介して、IEEE1394通信によって送信されてくる信号が供給されるようになっており、PHY部６４は、その信号に、物理層の処理を施し、IEEE1394インタフェース６５に供給する。
【００５７】
IEEE1394インタフェース６５は、バス６０を介してCPU６１によって制御され、PHY部６４から供給される信号を、ベースバンドの、例えば、画像データや音声データに変換し、画像データはベースバンドスイッチ６６に供給し、音声データはベースバンドスイッチ６７に供給する。
【００５８】
ベースバンドスイッチ６６には、IEEE1394インタフェース６５の出力と、A/D(Analog/Digital)コンバータ７２の出力とが供給されるようになっている。そして、ベースバンドスイッチ６６は、IEEE1394インタフェース６５の出力、またはA/Dコンバータ７２の出力のうちの一方を選択し、コーデック６８に供給する。即ち、これにより、IEEE1394インタフェース６５から供給される画像データ、またはA/Dコンバータ７２から供給される画像データが、コーデック６８に供給される。
【００５９】
ベースバンドスイッチ６７には、IEEE1394インタフェース６５の出力と、A/Dコンバータ７３の出力とが供給されるようになっている。そして、ベースバンドスイッチ６７は、IEEE1394インタフェース６５の出力、またはA/Dコンバータ７３の出力のうちの一方を選択し、コーデック６８に供給する。即ち、これにより、IEEE1394インタフェース６５から供給される音声データ、またはA/Dコンバータ７３から供給される音声データが、コーデック６８に供給される。
【００６０】
コーデック６８は、CPU６１からバス６０を介して制御され、ベースバンドスイッチ６６から供給される画像データや、ベースバンドスイッチ６７から供給される音声データを、例えば、MPEG(Moving Picture Experts Group)等の所定の符号化方式で符号化し、その結果得られる符号化データを、ATAPI(AT Attachment Packet Interface)ドライバ７０に供給する。
【００６１】
また、コーデック６８には、ATAPIドライバ７０から符号化データが供給されるようになっている。コーデック６８は、ATAPIドライバ７０から供給される符号化データを、画像データまたは音声データに復号し、画像データは、D/A(Digital/Analog)コンバータ７４に供給し、音声データは、D/Aコンバータ７５に供給する。
【００６２】
SDRAM６９は、コーデック６８が処理を行う上で必要なデータを一時記憶する。
【００６３】
ATAPIドライバ７０は、ATAPIの規格に準拠した装置をドライブするドライバで、図１の実施の形態では、コネクタ８２を介して、HDドライブ８とDVDドライブ９を制御する。
【００６４】
即ち、ATAPIドライバ７０は、HDドライブ８やDVDドライブ９を制御することにより、コーデック６８から供給される符号化データを、HD９１やDVD９２に記録（録画）させる。また、ATAPIドライバ７０は、HDドライブ８やDVDドライブ９を制御することにより、HD９１やDVD９２に記録された符号化データを再生させ、コーデック６８に供給する。
【００６５】
なお、その他、ATAPIドライバ７０は、CPU６１からバス６０を介して制御され、その制御にしたがって、HD９１やDVD９２にデータを記録させ、あるいは、HD９１やDVD９２からデータを再生させる（読み出させる）。
【００６６】
SDRAM７１は、ATAPIドライブ７０が処理を行う上で必要なデータを一時記憶する。
【００６７】
A/Dコンバータ７２は、コネクタ８１から供給されるアナログ信号の画像信号をA/D変換することにより、ディジタル信号の画像データとし、ベースバンドスイッチ６６に供給する。A/Dコンバータ７３は、コネクタ８１から供給されるアナログ信号の音声信号をA/D変換することにより、ディジタル信号の音声データとし、ベースバンドスイッチ６７に供給する。
【００６８】
D/Aコンバータ７４は、コーデック６８から供給されるディジタル信号の画像データをD/A変換することにより、アナログ信号の画像信号とし、コネクタ８１に供給する。D/Aコンバータ７５は、コーデック６８から供給されるディジタル信号の音声データをD/A変換することにより、アナログ信号の音声信号とし、コネクタ８１に供給する。
【００６９】
なお、記録再生制御ブロック６は、コネクタ７６，７７，７８，７９，８０，８１，８２を有する。
【００７０】
コネクタ７６は、コネクタ７７，７８，７９，CPU６１、ユーザインタフェースブロック２のコネクタ３６とそれぞれ接続されている。
【００７１】
コネクタ７７は、コネクタ７６、パワーユニット４とそれぞれ接続されている。
【００７２】
コネクタ７８は、コネクタ７６と接続されている。さらに、コネクタ７８は、DVDレコーダの筐体表面に設けられた端子８３と接続されている。ここで、端子８３は、RS-232Cの規格に準拠した通信（RS-232C通信）用の端子であり、例えば、RS-232C通信のインタフェースを有するコンピュータ１０３と接続して、そのコンピュータ１０３から各種のデータをDVDレコーダに入力し、あるいは、DVDレコーダからコンピュータ１０３に各種のデータを出力することができる。
【００７３】
コネクタ７９も、コネクタ７８と同様に、コネクタ７６に接続されている。さらに、コネクタ７９は、DVDレコーダの筐体表面に設けられた端子８４と接続されている。ここで、端子８４は、USB(Universal Serial Bus)の規格に準拠した通信（USB通信）用の端子であり、例えば、USB通信のインタフェースを有するコンピュータ１０３と接続して、そのコンピュータ１０３から各種のレコーダに入力し、あるいは、DVDレコーダからコンピュータ１０３に各種のデータを出力することができる。
【００７４】
コネクタ８０は、PHY部６４と接続されており、さらに、DVDレコーダの筐体表面に設けられた端子８５と接続されている。ここで、端子８５は、IEEE1394通信用の端子であり、例えば、IEEE1394通信のインタフェースを有する医療機器１０４と接続して、その医療機器１０４から画像データや音声データをDVDレコーダに入力することができる。
【００７５】
コネクタ８１は、AVインタフェースブロック５のコネクタ５１と接続されている。ここで、上述したように、コネクタ５１は、画像の入力用の端子５３、音声の入力用の端子５４、画像の出力用の端子５５、音声の出力用の端子５６に接続されている。画像の入力用の端子５３から入力された画像（信号）と、音声の入力用の端子５４から入力された音声（信号）は、コネクタ５１および８１を介して、A/Dコンバータ７２と７３に、それぞれ供給される。また、D/Aコンバータ７４が出力する画像（信号）と、コンバータ７５が出力する音声（信号）は、コネクタ８１および５１を介して、画像の出力用の端子５５と、音声の出力用の端子５６から、それぞれ出力される。
【００７６】
コネクタ８２には、ATAPIドライバ７０が接続されている。さらに、コネクタ８２には、HDドライブ８とDVDドライブ９とが接続されている。ATAPIドライバ７０と、HDドライブ８やDVDドライブ９との間では、コネクタ８２を介して、データ等がやりとりされる。
【００７７】
HDドライブ８は、HD９１を内蔵し、ATAPIドライバ７０の制御にしたがって、HD９１に対するデータの記録と再生（読み出し）を行う。DVDドライブ９は、DVD９２の着脱が可能となっており、ATAPIドライバ７０の制御にしたがって、DVD９２に対するデータの記録と再生を行う。
【００７８】
以上のように構成されるDVDレコーダにおいて、医療機器１０４が出力する画像や音声を記録する場合には、医療機器１０４が、端子８５か、または端子５３および５４に接続される。
【００７９】
そして、医療機器１０４が、端子８５に接続された場合には、医療機器１０４が出力する画像または音声が、端子８５、コネクタ８０，PHY部６４、IEEE1394インタフェース６５を介して、ベースバンドスイッチ６６または６７に、それぞれ供給される。この場合、ベースバンドスイッチ６６と６７は、それぞれ、IEEE1394インタフェース６５から供給される画像と音声を選択し、コーデック６８に供給する。
【００８０】
また、医療機器１０４が、端子５３および５４に接続された場合には、医療機器１０４が出力する画像または音声が、端子５３または５４、コネクタ５１、８１、A/Dコンバータ７２または７３を介して、ベースバンドスイッチ６６または６７に、それぞれ供給される。この場合、ベースバンドスイッチ６６と６７は、それぞれ、A/Dコンバータ７２から供給される画像とA/Dコンバータ７３から供給される音声を選択し、コーデック６８に供給する。
【００８１】
コーデック６８は、ベースバンドスイッチ６６から供給される画像と、ベースバンドスイッチ６７から供給される音声を符号化し、その結果得られる符号化データを、ATAPIドライバ７０およびコネクタ８２を介して、HDドライブ８およびDVDドライブ９に供給する。これにより、医療機器１０４が出力する画像や音声は、HDドライブ８においてHD９１に記録されるとともに、DVDドライブ９においてDVD９２に記録される。
【００８２】
ここで、本実施の形態では、画像や音声を、HD９１とDVD９２の両方に（２重に）記録するようにしたが、画像や音声は、HD９１またはDVD９２のうちのいずれか一方だけに記録することが可能である。但し、画像や音声を、HD９１とDVD９２の両方に記録する場合には、例えば、HD９１またはDVD９２のうちの一方にエラーが生じたとき等に、他方に記録された画像や音声によって、一方の画像や音声のリカバリを行うこと等が可能となる。
【００８３】
なお、画像や音声を、HD９１とDVD９２の両方に記録する、あるいは、いずれか一方だけに記録する、といった設定は、例えば、ディスプレイ３３に表示されるメニューから行うことができる。
【００８４】
次に、図１のDVDレコーダにおいて、HD９１やDVD９２に記録された画像や音声を再生する場合には、ATAPIドライバ７０が、HDドライブ８またはDVDドライブ９を制御することにより、HD９１またはDVD９２から画像や音声を読み出させ、コーデック６８を介し、画像はD/Aコンバータ７４に、音声はD/Aコンバータ７５に、それぞれ供給する。
【００８５】
コーデック６８からD/Aコンバータ７４に供給された画像は、コネクタ８１、５１、および端子５５を介して、モニタ１０５に供給されて表示される。また、コーデック６８からD/Aコンバータ７５に供給された音声は、コネクタ８１、５１、および端子５６を介して、スピーカ１０６に供給されて出力される。
【００８６】
以上のように、図１のDVDレコーダによれば、医療機器１０４が出力する画像や音声といった実データを、HD９１やDVD９２に記録することができ、また、そのようにして、HD９１やDVD９２に記録された画像や音声を再生することができる。
【００８７】
ところで、以上のように、医療機器１０４が出力する画像や音声を、DVD９２に記録する場合、例えば、１人の患者の画像を、１つのタイトルとして、DVD９２に記録することが予想される。
【００８８】
この場合、タイトルに、そのタイトル全体に関するメタデータ、即ち、例えば、タイトルとしての画像を撮影した年月日（必要に応じて時刻も含む）、さらには、その画像に患部が映っている患者の氏名その他の患者の情報を付しておければ、タイトルを再生して診察（診断）を行う医師にとって便利である。
【００８９】
ここで、上述したような、タイトルとしての画像を撮影した年月日や、その画像に患部が映っている患者に関する情報といった、タイトル全体に関するメタデータを、以下、適宜、タイトルメタデータという。
【００９０】
一方、医療機器１０４が出力する時系列の画像（データ）においては、例えば、あるフレーム（フィールド）に映っている範囲と、他のフレームに映っている範囲とが異なることがある。従って、同一の大きさの患部であっても、あるフレームでは大きく映り、他のフレームでは小さく映っていることがある。その結果、このような画像を見て診察を行う医師が、患部の大きさを見間違うおそれがある。
【００９１】
かかる見間違いを防止するためには、画像に映っている範囲に関する情報（例えば、画像に映っている範囲の縦と横の長さなど）（以下、適宜、画像スケール情報という）を、画像に付しておくのが望ましい。
【００９２】
ここで、画像スケール情報は、いわば時々刻々とリアルタイムで、例えば、フレーム（フィールド）ごとや、GOP(Group Of Picture)ごとに変化しうる。このような、タイトル（時系列のデータ）における所定の間隔ごとのデータに関するメタデータを、以下、適宜、リアルタイムメタデータという。
【００９３】
なお、リアルタイムメタデータとしては、上述のような画像スケール情報の他、例えば、画像を撮像したときのズームの倍率、さらには、画像の垂直同期信号に重畳される情報などのリアルタイムで変化しうる情報がある。
【００９４】
タイトルのメタデータとして、以上のような、タイトルメタデータとリアルタイムメタデータとの２種類のメタデータを、DVD９２に記録することができれば便利であるが、DVDの規格では、前述したように、タイトルのメタデータを記録することができる領域（情報）は、制御情報の中の64バイトのALT_REC_NMしか用意されていない。
【００９５】
そこで、図１のDVDレコーダでは、DVD９２の実データとしてのタイトルが記録される（記録）領域の一部としての、例えば先頭部分に、タイトルのメタデータを記録するユーザメタデータ領域を確保し、そのユーザメタデータ領域に、タイトルのメタデータを記録することができるようになっている。
【００９６】
ここで、ユーザメタデータ領域に記録されるタイトルのメタデータ、即ち、タイトルメタデータとリアルタイムメタデータとを、以下、適宜、両方まとめて、ユーザメタデータという。
【００９７】
図２は、図１のDVDレコーダで記録がされたDVD９２の記録内容を模式的に示している。
【００９８】
図２上側は、図１のDVDレコーダで２つのタイトル＃１，＃２が記録がされたDVD９２の記録内容を模式的に示している。
【００９９】
図２上側においては、先頭に、制御情報であるテーブル情報が記録されており、そのテーブル情報が記録された領域に続く領域が、実データとしてのタイトルが記録される領域になっている。そして、タイトル＃１が記録される領域の先頭部分に、ユーザメタデータが記録されるユーザメタデータ領域（TITLE  INFOs）が確保されており、そのユーザメタデータ領域の直後に、タイトル＃１，＃２が記録されている。
【０１００】
図２下側は、従来のDVDレコーダでタイトル＃１が記録され、その後、図１のDVDレコーダでタイトル＃２が記録されたDVD９２の記録内容を模式的に示している。
【０１０１】
図２下側においては、先頭に、図２上側と同様に、制御情報であるテーブル情報が記録されており、そのテーブル情報が記録された領域に続く領域が、実データとしてのタイトルが記録される領域になっている。
【０１０２】
さらに、図２下側では、テーブル情報の直後に、従来のDVDレコーダで記録されたタイトル＃１が存在している。そして、そのタイトル＃１に続けて、図１のDVDレコーダで記録されたタイトル＃２が存在するが、そのタイトル＃２の先頭部分に、ユーザメタデータが記録されるユーザメタデータ領域が確保されている。
【０１０３】
図３は、DVDの規格で規定されている、制御情報であるテーブル情報が格納される幾つかのファイルと、そのファイルに格納される制御情報の内容とを示している。
【０１０４】
制御情報であるテーブル情報が格納されるファイルには、例えば、VIDEO_RM.IFOファイル（ファイル名が、"VIDEO_RM.IFO"のファイル）、VIDEO_RM.BUPファイル、VIDEO_TS.IFOファイル、VIDEO_TS.BUPファイル、VTS_01_0.IFOファイル、VTS_01_0.BUPファイルなどがある。
【０１０５】
VIDEO_RM.IFOファイルには、VRMI(Video Recording Manager Information)と呼ばれる制御情報が格納され、VIDEO_TS.IFOファイルには、VMGI(Video Manager General Information)と呼ばれる制御情報が格納される。VTS_01_0.IFOファイルには、VTSI(Video Title set Information)と呼ばれる制御情報が格納される。
【０１０６】
また、拡張子がBUPのVIDEO_RM.BUPファイル、VIDEO_TS.BUPファイル、VTS_01_0.BUPファイルは、それぞれ、VIDEO_RM.IFOファイル、VIDEO_TS.IFOファイル、VTS_01_0.IFOファイルのバックアップであり、内容は同一である。
【０１０７】
なお、図３には、タイトルが格納されるファイルも示してある。タイトルは、VTS_XX_Y.VOBファイルに格納され、そのVTS_XX_Y.VOBファイルの内容は、VTSTT_VOBS(Video Object Set for Titles in a VTS)と呼ばれる。ここで、VTS_XX_Y.VOBファイルのXXとYは、数字であり、図３では、XXが01に、Yが1に、それぞれなっている。
【０１０８】
次に、図４は、DVD９２の論理的な記録フォーマットの例を示している。
【０１０９】
なお、図４において、左側に示してある１６進数の数字は、DVD９２の記録領域の論理アドレス(LBN(Logical Block Number))である。また、図４の記録フォーマットは、DVDの規格に準拠しており、その説明は、適宜省略する。
【０１１０】
図４は、図２上側に示したように、タイトル＃１が記録される領域の先頭部分に、ユーザメタデータ領域が確保されている場合のDVD９２の記録フォーマットを示している。
【０１１１】
即ち、図４では、論理アドレス#0から、2MバイトのFile System（の情報）が配置（記録）されている。なお、File Systemとしては、例えば、UDF(Universal Disk Format)やISO(International Organization for Standardization)9660などが採用される。
【０１１２】
File Systemの直後の論理アドレス#400からは、1MバイトのファイルVIDEO_RM.DATが配置され、続けて、論理アドレス#600から、32KバイトのファイルVIDEO_RM.IFOが配置されている。その後、所定のサイズの予約領域(Reserved(User Data))が配置され、論理アドレス#1C00から32KバイトのファイルVIDEO_TS.IFOが配置されている。その後、所定のサイズの予約領域(Reserved)が配置され、論理アドレス#1C50から、13MバイトのファイルVIDEO_TS.VOBが配置されている。
【０１１３】
ファイルVIDEO_TS.VOBに続けて、論理アドレス#3A00から、32KバイトのファイルVIDEO_TS.BUPが配置され、その後、所定のサイズの予約領域(Reserved)が配置されている。そして、論理アドレス#3C00から、224KバイトのファイルVTS_01_0.IFOが配置され、その後、所定のサイズの予約領域(Reserved)が配置されている。
【０１１４】
さらに、論理アドレス#3D00から、224KバイトのファイルVTS_02_0.IFOが配置され、その後、所定のサイズの予約領域(Reserved)が配置されている。そして、論理アドレス#3E00から、224KバイトのファイルVTS_03_0.IFOが配置され、その後、論理アドレス#4000の直前まで、予約領域(Reserved)が配置されている。
【０１１５】
論理アドレス#4000からは、タイトルのVTS_XX_Y.VOBファイルが記録される領域になっているが、図４では、その先頭に、例えば、10Mバイトのユーザメタデータ領域が確保されている。なお、10Mバイトのユーザメタデータ領域は、図４では、タイトルメタデータの記録用の、例えば100Kバイトのタイトルインフォ領域と、リアルタイムメタデータの記録用の、例えば10140Kバイトのリアルタイムメタデータ領域とから構成されている。
【０１１６】
タイトルのVTS_XX_Y.VOBファイルが記録される領域の後には、224KバイトのファイルVTS_01_0.BUP、32KバイトのファイルVIDEO_RM.BUP、256バイトのSecond Anchor Pointが順次配置されている。
【０１１７】
図４において、論理アドレス#600から記録されている32KバイトのファイルVIDEO_RM.IFOには、図３で説明したように、制御情報の１つであるVRMIが格納されている。
【０１１８】
図５は、制御情報VRMIのフォーマットを示している。
【０１１９】
制御情報VRMIには、その先頭から、2048バイトのVRMI_GI，4096バイトのVRMI_CHPI、それぞれが512バイトの49個のVRMI_RECI#n(VRMI_RECI#1乃至VRMI_RECI#49)、1536バイトの予約領域(Reserved)が順次配置されている。
【０１２０】
ここで、VRMI_RECI#nは、タイトル#nの再生の制御に用いられる、タイトルごとの制御情報である。DVD９２には、例えば、最大で、49のタイトルを記録することができ、VRMIには、その49のタイトルに対応して、49個のVRMI_RECI#1乃至VRMI_RECI#49がある。
【０１２１】
VRMI_RECI#nでは、その先頭に、１バイトのREC_ST(Recording status)が配置され、それから27バイトだけ後に、4バイトのREC_E_A(End address of Recording)が配置されている。さらに、REC_E_Aから32バイトだけ後に、64バイトのREC_NMが配置され、その直後に、64バイトのALT_REC_NMが配置されている。そして、ALT_REC_NMの直後の320バイトには、DVDの規格で定められている所定の情報が配置される。
【０１２２】
ここで、VRMI_RECI#nにおいて、REC_STが、0x01（0xはその後に続く値が１６進数であることを表す）以外の値である場合には、タイトル#nが、DVD９２に存在しない（記録されていない）。また、REC_E_Aは、タイトル#nが記録されているDVD９２の領域の最後の位置の論理アドレスを表す。さらに、ALT_REC_NMは、タイトル#nのメタデータとしての、例えば、タイトル#nのタイトル名として使用することができる。
【０１２３】
VRMI_RECI#nの64バイトのREC_NMは、図５に示すように、32バイトの予約領域(Reserved)、1バイトのタイトル記録情報、2バイトのSET_ID、7バイトの自記録識別ID、22バイトの予約領域(Reserved)が、その先頭から順次配置されて構成される。
【０１２４】
自記録識別IDは、タイトル#nを記録したDVDレコーダを識別する情報で、図１のDVDレコーダがタイトル#nを記録した場合、例えば、7バイトの文字列"plannet"とされる。
【０１２５】
1バイトのタイトル記録情報は、図５に示すように、4ビットの予約領域(Reserved)、1ビットのユーザメタデータフラグ、3ビットのOrg_Protectionが、その先頭から順次配置されて構成される。
【０１２６】
このタイトル記録情報におけるユーザメタデータフラグが、タイトル#nが記録されているDVD９２の領域の先頭に、ユーザメタデータ領域（図４）が確保されているかどうかを表す。即ち、タイトル#nが記録されているDVD９２の領域の先頭に、ユーザメタデータ領域が確保されている場合、ユーザメタデータフラグは、0または1のうちの、例えば、1とされ、ユーザメタデータ領域が確保されていない場合、ユーザメタデータフラグは、0とされる。
【０１２７】
以上のように、タイトル#nの再生の制御に用いられる制御情報VRMI_RECI#nは、タイトル（実データ）#nのメタデータALT_REC_NMと、そのメタデータALT_REC_NMとは別のユーザメタデータが記録されるユーザメタデータ領域がDVD９２上に確保されているかどうかを表すユーザメタデータフラグとを含んでいる。
【０１２８】
次に、図６は、ユーザメタデータ領域（図４）を構成するタイトルインフォ領域とリアルタイムメタデータ領域のうちの、タイトルインフォ領域のフォーマットを示している。
【０１２９】
タイトルインフォ領域は、図４で説明したように、100Kバイトの領域であり、タイトルメタデータが配置される、例えば49×2Kバイトのタイトルメタデータ領域と、ポインタが配置される、例えば2Kバイトのポインタ領域とから構成される。
【０１３０】
タイトルメタデータ領域は、タイトル#nのタイトルメタデータINFO_DATA#nが配置される2Kバイト(2048バイト）の領域を、DVD９２に記録することができる最大のタイトルの数である49だけ有している。従って、タイトルメタデータ領域には、１つのタイトルにつき、2KバイトまでのタイトルメタデータINFO_DATA#nを記録することができる。
【０１３１】
ポインタ領域には、その先頭から、タイトル#nのタイトルメタデータINFO_DATA#nが配置される2Kバイトの領域の先頭の論理アドレスを表す1バイトのポインタであるTITLE_INFOポインタが、タイトルメタデータINFO_DATA#nが配置される領域と同一の数である49だけ配置される。即ち、ポインタ領域の先頭からnバイト目には、タイトル#nのタイトルメタデータINFO_DATA#nが配置される領域の先頭の論理アドレスを表す1バイトのTITLE_INFOポインタが配置される。
【０１３２】
なお、ポインタ領域は、上述したように、2Kバイトの領域であり、49×1バイトのTITLE_INFOポインタが配置される領域以外の領域は、将来の拡張のための予約領域とされている。
【０１３３】
次に、図７は、ユーザメタデータ領域（図４）を構成するタイトルインフォ領域とリアルタイムメタデータ領域のうちの、リアルタイムメタデータ領域のフォーマットを示している。
【０１３４】
リアルタイムメタデータ領域は、図４で説明したように、10Mバイトの領域であるが、図７では、256バイトの領域を、いわば1単位の領域（単位領域）として、各単位領域に、1GOP分の画像に関するリアルタイムメタデータが配置される。
【０１３５】
即ち、リアルタイムメタデータ領域には、その先頭の単位領域から、タイトル#1に関するリアルタイムメタデータが、GOP単位で配置される。そして、タイトル#1の最後のGOPのリアルタイムメタデータが配置された単位領域の次の単位領域から、タイトル#2に関するリアルタイムメタデータが、GOP単位で配置される。以下、同様にして、リアルタイムメタデータ領域には、GOP単位のリアルタイムメタデータが配置される。
【０１３６】
なお、単位領域に配置する1GOP分のリアルタイムメタデータは、例えば、その1GOPに共通のメタデータであっても良いし、その1GOPを構成するピクチャ（フレームまたはフィールド）ごとのメタデータであっても良い。
【０１３７】
次に、図８は、図１の記録再生制御ブロック６の機能的な構成例を示している。なお、図８の記録再生制御ブロック６の機能的な構成は、図１のCPU６１がプログラムを実行することにより実現される。
【０１３８】
メタデータ制御部２０１は、記録制御部２０３と再生制御部２０４を制御することにより、DVD９２（のユーザメタデータ領域（図４））へのユーザメタデータの記録と再生（読み出し）を制御する。
【０１３９】
ここで、DVD９２に記録するユーザメタデータは、例えば、図１のコンピュータ１０３から、RS-232C通信用の端子８３や、USB通信用の端子８４を介して、記録再生制御ブロック６に入力することができるようになっている。
【０１４０】
即ち、例えば、オペレータがコンピュータ１０３を操作し、例えば、ユーザメタデータのうちのタイトルメタデータを入力すると、そのタイトルメタデータは、コンピュータ１０３から、RS-232C通信用の端子８３またはUSB通信用の端子８４を介して、記録再生制御ブロック６に入力される。
【０１４１】
また、例えば、医療機器１０４は、コンピュータ１０３と接続し、画像の他に、その画像に関する画像スケール情報等のリアルタイムメタデータを、コンピュータ１０３に供給することができるようになっている。そして、コンピュータ１０３は、医療機器１０４からのリアルタイムメタデータを、RS-232C通信用の端子８３またはUSB通信用の端子８４を介して、記録再生制御ブロック６に入力することができるようになっている。
【０１４２】
メタデータ制御部２０１は、以上のようにして、コンピュータ１０３から記録再生制御ブロック６に入力されるタイトルメタデータやリアルタイムメタデータといったユーザメタデータを、記録制御部２０３を介して、DVD９２（のユーザメタデータ領域（図４））に記録させる。
【０１４３】
また、メタデータ制御部２０１は、DVD９２に記録されたユーザメタデータを、再生制御部２０４を介して読み出し、例えば、図１のSDRAM６３に対応する記憶部２０２に記憶させる。さらに、メタデータ制御部２０１は、記憶部２０２に記憶されたユーザメタデータを読み出し、図１のRS-232C通信用の端子８３またはUSB通信用の端子８４を介して、コンピュータ１０３に出力する。この場合、コンピュータ１０３は、図示せぬディスプレイに、メタデータ制御部２０１からのユーザメタデータ、即ち、タイトルメタデータやリアルタイムメタデータを表示する。
【０１４４】
なお、図１のCPU６１においては、DVD９２から再生されたリアルタイムメタデータとしての、例えば、画像スケール情報から、その画像スケール情報に応じた目盛りのグラフィックスを生成し、その目盛りのグラフィックスを、DVD９２から再生された、対応する画像に重畳し、端子５５から、モニタ１０５に出力することができる。この場合、モニタ１０５では、画像とともに、画像に映っている範囲に応じた目盛りのグラフィックスが表示される。
【０１４５】
記憶部２０２は、メタデータ制御部２０１が再生制御部２０４を制御することによりDVD９２から読み出したユーザメタデータを一時記憶するようになっている。即ち、記憶部２０２は、上述したように、図１のSDRAM６３に対応し、DVD９２に比較してデータの読み出しを高速に行うことができる。そこで、メタデータ制御部２０１は、例えば、DVD９２がDVDドライブ９に装着されたとき等に、DVD９２からユーザメタデータを読み出し、記憶部２０２に記憶させることで、その後は、記憶部２０２からユーザメタデータを読み出すようにすることで、ユーザメタデータを、コンピュータ１０３等の外部の装置に、高速に出力することができるようになっている。
【０１４６】
記録制御部２０３は、メタデータ制御部２０１の制御にしたがって、ユーザメタデータのDVD９２への記録を制御する。また、記録制御部２０３には、図１の端子８５や、端子５３および５４を介して記録再生制御ブロック６に入力される画像や音声等の実データのDVD９２への記録を制御する。
【０１４７】
再生制御部２０４は、メタデータ制御部２０１の制御にしたがって、DVD９２からのユーザメタデータの読み出し（再生）を制御する。また、再生制御部２０４は、DVD９２からの、画像や音声データ等の実データの読み出しを制御し、さらに、その制御によってDVD９２から読み出された画像や音声データ等の実データを、図１の端子５３および５４を介して、外部に出力する。ここで、上述したように、端子５３を介して出力された実データとしての画像は、モニタ１０５に供給されて表示され、端子５４を介して出力された実データとしての音声は、スピーカ１０６に供給されて出力される。
【０１４８】
以上のように構成される記録再生ブロック６は、例えば、DVD９２がDVDドライブ９に装着されたときや、DVD９２がDVDドライブ９に装着されている状態で電源がオンにされたとき等に、DVDドライブ９に装着されているDVD９２に、ユーザメタデータが記録されるユーザメタデータ領域が確保されている（存在している）かどうかをチェック（確認）するユーザメタデータ確認処理を行う。
【０１４９】
そこで、図９のフローチャートを参照して、ユーザメタデータ確認処理について説明する。
【０１５０】
ユーザメタデータ確認処理では、メタデータ制御部２０１が、まず、ステップＳ１乃至Ｓ１０において、DVD９２にユーザメタデータ領域が確保されているか否かを判定するユーザメタデータ判定処理を行う。
【０１５１】
即ち、メタデータ制御部２０１は、ステップＳ１において、再生制御部２０４を制御することにより、DVD９２の論理アドレス#600を先頭として配置されているファイルVIDEO_RM.IFO（図４）から、32Kバイトの制御情報VRMIを読み出し、ステップＳ２に進む。
【０１５２】
ステップＳ２では、メタデータ制御部２０１は、制御情報VRMI（図５）の先頭から1025バイト目に配置されている1バイトのFTT_Ns（図示せず）を取得し（読み出し）、ステップＳ３に進む。ここで、FTT_Nsは、DVD９２に記録されているタイトルの数（総数）を表す。
【０１５３】
ステップＳ３では、メタデータ制御部２０１は、データを参照する参照位置を、ステップＳ１でDVD９２から読み出した制御情報VRMI（図５）の先頭から6Kバイト先の論理アドレスの次の論理アドレスに移動する。即ち、これにより、参照位置が、タイトル#1の制御情報VRMI_RECI#1の先頭に移動される。
【０１５４】
ステップＳ３の処理後は、ステップＳ４に進み、メタデータ制御部２０１は、タイトルを表す変数nに、初期値としての、例えば1をセットしてステップＳ５に進み、変数nが、DVD９２に記録されているタイトルの総数以下（の値）であるかどうかを判定する。ここで、メタデータ制御部２０１は、DVD９２に記録されているタイトルの総数を、ステップＳ２で取得したFTT_Nsから認識する。
【０１５５】
ステップＳ５において、変数nが、DVD９２に記録されているタイトルの総数以下であると判定された場合、ステップＳ６に進み、メタデータ制御部２０１は、タイトル#nが、DVD９２上に存在する（DVD９２に記録されている）かどうかを判定する。
【０１５６】
ここで、図５に示したように、タイトル#nの制御情報VRMI_RECI#nの先頭の1バイトのREC_STが、0x01以外の値である場合には、タイトル#nが、DVD９２に存在しないので、ステップＳ６の判定処理は、このREC_STを参照することにより行われる。
【０１５７】
ステップＳ６において、タイトル#nが、DVD９２上に存在しないと判定された場合（REC_STが、0x01以外の値である場合）、ステップＳ７に進み、メタデータ制御部２０１は、変数nを1だけインクリメントして、ステップＳ５に戻り、以下、同様の処理が繰り返される。
【０１５８】
また、ステップＳ６において、タイトル#nが、DVD９２上に存在すると判定された場合（REC_STが、0x01である場合）、ステップＳ８に進み、メタデータ制御部２０１は、タイトル#nの制御情報VRMI_RECI#n（図５）の先頭から65バイト目を先頭として配置されている64バイトのREC_NMを取得し、ステップＳ９に進む。
【０１５９】
ステップＳ９では、メタデータ制御部２０１は、64バイトのREC_NM（図５）のうちのタイトル記録情報に含まれるユーザメタデータフラグと、REC_NMのうちの自記録識別IDとを取得して、ステップＳ１０に進み、そのユーザメタデータフラグと、自記録識別IDとに基づき、タイトル#n（実データ）が記録されているDVD９２の領域の先頭に、ユーザメタデータ領域が確保されているかどうか判定する。
【０１６０】
ここで、ユーザメタデータフラグが、タイトル#nが記録されているDVD92の領域の先頭にユーザメタデータ領域が確保されていることを表す1になっており、自記録識別IDが、タイトル#nを記録したDVDレコーダが図１のDVDレコーダであることを表す文字列"plannet"となっている場合、タイトル#nが記録されているDVD９２の領域の先頭に、ユーザメタデータ領域が確保されているので、メタデータ制御部２０１は、ステップＳ１０において、ユーザメタデータ領域が確保されていると判定する。
【０１６１】
一方、ユーザメタデータフラグが、タイトル#nが記録されているDVD92の領域の先頭にユーザメタデータ領域が確保されていないことを表す0になっている場合、タイトル#nが記録されているDVD９２の領域の先頭に、ユーザメタデータ領域は確保されていないので、メタデータ制御部２０１は、ステップＳ１０において、ユーザメタデータ領域が確保されていないと判定する。
【０１６２】
なお、ここでは、ユーザメタデータフラグと自記録識別IDとの両方を参照して、ユーザメタデータフラグが1であり、かつ、自記録識別IDが文字列"plannet"となっている場合にのみ、タイトル#nが記録されているDVD９２の領域の先頭に、ユーザメタデータ領域が確保されていると判定するようにしたが、ユーザメタデータフラグのみを参照して、ユーザメタデータフラグが1である場合に、ユーザメタデータ領域が確保されていると判定するようにしても良い。
【０１６３】
ステップＳ１０において、ユーザメタデータ領域が確保されていないと判定された場合、ステップＳ７に進み、上述したように、メタデータ制御部２０１は、変数nを1だけインクリメントして、ステップＳ５に戻り、以下、同様の処理が繰り返される。
【０１６４】
また、ステップＳ１０において、ユーザメタデータ領域が確保されていると判定された場合、以下、ステップＳ１１，Ｓ１２に順次進み、そのユーザメタデータ領域からユーザメタデータを取得するための処理が行われる。
【０１６５】
即ち、ステップＳ１０において、ユーザメタデータ領域が確保されていると判定された場合、つまり、タイトル#nが記録されているDVD９２の領域の先頭に、ユーザメタデータ領域が存在する場合、ステップＳ１１に進み、メタデータ制御部２０１は、ステップＳ１でDVD９２から読み出した制御情報VRMIから、タイトル#nの制御情報VRMI_RECI#n（図５）の直前に配置されている、タイトル#n-1の制御情報VRMI_RECI#n-1の先頭から29乃至32バイト目の4バイトのREC_E_Aが表す論理アドレスの次の論理アドレスを、ユーザメタデータ領域の先頭の論理アドレスとして取得する。
【０１６６】
即ち、いまの場合、タイトル#nが記録されているDVD９２の領域の先頭に、ユーザメタデータ領域が存在するので、ユーザメタデータ領域の先頭の論理アドレスは、タイトル#nの１つ前のタイトル#n-1の最後の論理アドレスの次の論理アドレスである。また、タイトル#n-1の制御情報VRMI_RECI#n-1の先頭から29乃至32バイト目の4バイトのREC_E_Aは、図５で説明したように、タイトル#n-1が記録されているDVD９２の領域（記録領域）の最後の論理アドレスを表す。
【０１６７】
そこで、メタデータ制御部２０１は、タイトル#n-1の制御情報VRMI_RECI#n-1の先頭から29乃至32バイト目の4バイトのREC_E_Aが表す論理アドレスの次の論理アドレスを、ユーザメタデータ領域の先頭の論理アドレスとして取得する。
【０１６８】
ここで、タイトル#1が記録されるDVD９２の領域の先頭の論理アドレスは、図４で説明したように、論理アドレス#4000である。このため、ステップＳ１０において、タイトル#1が記録されているDVD９２の領域の先頭に、ユーザメタデータ領域が確保されていると判定された場合だけは、いわば例外的に、ステップＳ１１において、メタデータ制御部２０１は、ユーザメタデータ領域の先頭の論理アドレスとして、論理アドレス#4000を取得する（ユーザメタデータ領域の先頭の論理アドレスが論理アドレス#4000であると認識する）。
【０１６９】
その後、ステップＳ１１からステップＳ１２に進み、メタデータ制御部２０１は、再生制御部２０４を制御することにより、ステップＳ１１で得た、ユーザメタデータ領域の先頭の論理アドレスを先頭として、10Mバイトのユーザメタデータ領域に記録されているユーザメタデータを、DVD９２から読み出し、記憶部２０２に供給して記憶させて、ユーザメタデータ確認処理を終了する。
【０１７０】
一方、ステップＳ５において、変数nが、DVD９２に記録されているタイトルの総数以下でないと判定された場合、即ち、DVD９２に記録されているタイトルの領域のいずれの領域にも、タイトルメタデータ領域が確保されていない場合、メタデータ制御部２０１は、ユーザメタデータ確認処理を終了する。
【０１７１】
次に、図１０のフローチャートを参照して、例えば、図１の医療機器１０４から、端子８５、または端子５３や５４を介して、記録再生制御ブロック６に入力される画像データや音声データ等の実データとしてのタイトルを、DVD９２に記録する記録処理について説明する。
【０１７２】
医療機器１０４から、端子８５、または端子５３や５４を介して、記録再生制御ブロック６に入力される画像データや音声データ等の実データは、記録制御部２０３（図８）に供給される。
【０１７３】
一方、ユーザ（オペレータ）が、ユーザインタフェースブロック２（図１）のボタン部３２における「録画」ボタンを操作すると、ステップＳ３１において、メタデータ制御部２０１は、図９のステップＳ１乃至Ｓ１０のメタデータ判定処理の処理結果に基づき、DVD９２に、ユーザメタデータ領域が確保されているかどうかを判定する。
【０１７４】
ステップＳ３１において、DVD９２に、ユーザメタデータ領域が確保されていないと判定された場合、ステップＳ３２に進み、メタデータ制御部２０１は、記録制御部２０３を制御することにより、DVD９２に、ユーザメタデータ領域を確保するユーザメタデータ領域確保処理を実行させる。
【０１７５】
即ち、ステップＳ３２では、記録制御部２０３は、実データの記録を開始するDVD９２の論理アドレスである記録開始位置を、DVD９２の最後のタイトルが記録されている領域の最後から10Mバイト目の論理アドレスの次の論理アドレスにセットする。なお、DVD９２に、１つのタイトルも記録されていない場合には、記録制御部２０３は、記録開始位置を、図４で説明した、最初のタイトル#1が記録される領域の先頭の論理アドレス#4000から、10Mバイト目の論理アドレスの次の論理アドレスにセットする。
【０１７６】
さらに、ステップＳ３２では、記録制御部２０３は、これからDVD９２に記録する実データとしてのタイトル（以下、適宜、記録対象タイトルという）#nの制御情報VRMI_RECI#n（図５）のタイトル記録情報のユーザメタデータフラグとして、ユーザメタデータ領域が確保されていることを表す1をDVD９２に書き込むとともに、制御情報VRMI_RECI#nの自記録識別IDとして、図１のDVDレコーダでタイトル#nの記録が行われたことを表す文字列"plannet"をDVD９２に書き込む。
【０１７７】
その後、ステップＳ３３に進み、記録制御部２０３は、DVD９２のユーザメタデータ領域を構成するタイトルインフォ領域（図４）のタイトルメタデータ領域（図６）における、記録対象タイトル#nに対応する2Kバイトの領域に、デフォルトのタイトルメタデータINFO_DATA#nとして、例えば、現在の年月日（時刻も含む）、つまり、記録対象タイトル#nとしての画像等を撮影した年月日を書き込む。
【０１７８】
さらに、記録制御部２０３は、タイトルインフォ領域（図６）のポインタ領域における先頭からnバイト目に、記録対象タイトル#nのタイトルメタデータINFO_DATA#nが書き込まれた領域の先頭の論理アドレスを表すTITLE_INFOポインタを書き込み、ステップＳ３３からステップＳ３４に進む。
【０１７９】
ステップＳ３４では、記録制御部２０３は、医療機器１０４から、端子８５、または端子５３や５４を介して供給される実データのDVD９２への記録を、記録開始位置から開始し、その後、ユーザが、ユーザインタフェースブロック２（図１）のボタン部３２における「停止」ボタンを操作すると、実データのDVD９２への記録を終了する。
【０１８０】
なお、記録再生制御ブロック６に対して、医療機器１０４から実データが供給されるのに同期して、コンピュータ１０３から、端子８３または８４を介して、記録対象タイトル#nに関するリアルタイムメタデータが供給される場合には、メタデータ制御部２０１は、ステップＳ３４において、記録制御部２０３を制御することにより、そのリアルタイムメタデータを、DVD９２のユーザメタデータ領域を構成するリアルタイムメタデータ領域に書き込ませる。従って、この場合、ステップＳ３４では、記録対象タイトル#nとしての実データの書き込みと、その記録対象タイトル#nに関するリアルタイムメタデータの書き込みとが行われる。
【０１８１】
一方、ステップＳ３１において、DVD９２に、ユーザメタデータ領域が確保されていると判定された場合、ステップＳ３５に進み、メタデータ制御部２０１は、記録制御部２０３を制御することにより、記録開始位置を、DVD９２の最後のタイトルが記録されている領域の最後の論理アドレスの次の論理アドレスにセットさせる。
【０１８２】
その後、ステップＳ３３、Ｓ３４に順次進み、上述した場合と同様の処理が行われる。
【０１８３】
なお、ユーザメタデータフラグや、自記録識別ID、タイトルメタデータ、リアルタイムメタデータは、一旦、記憶部２０２に記憶しておき、例えば、記録対象タイトル#nの記録中、あるいは、記録対象タイトル#nの記録の終了後等に、DVD９２に書き込むようにしても良い。
【０１８４】
次に、図１１のフローチャートを参照して、DVD９２に記録されたタイトルを再生する再生処理について説明する。
【０１８５】
ユーザが、ユーザインタフェースブロック２（図１）のボタン部３２における「再生」ボタンを操作すると、ステップＳ４１において、メタデータ制御部２０１（図８）は、図９のステップＳ１乃至Ｓ１０のメタデータ判定処理の処理結果に基づき、DVD９２に、ユーザメタデータ領域が確保されているかどうかを判定する。
【０１８６】
ステップＳ４１において、DVD９２に、ユーザメタデータ領域が確保されていると判定された場合、ステップＳ４２に進み、メタデータ制御部２０１は、ユーザメタデータ領域に記録されているユーザメタデータのうちの、再生の対象となっているタイトル（以下、適宜、再生対象タイトルという）#nに関するユーザメタデータの出力を開始する。
【０１８７】
即ち、本実施の形態では、DVD９２にユーザメタデータ領域が確保されている場合、図９のユーザメタデータ確認処理のステップＳ１２の処理が行われることによって、ユーザメタデータ領域に記録されているユーザメタデータが、記憶部２０２に記憶されている。メタデータ制御部２０１は、ステップＳ４１において、再生対象タイトル#nのタイトルメタデータを、記憶部２０２から読み出し、図１の端子８３または８４を介して、コンピュータ１０３に供給する。これにより、コンピュータ１０３では、再生対象タイトル#nのタイトルメタデータが表示される。なお、再生対象タイトル#nのタイトルメタデータは、記録再生制御ブロック６からユーザインタフェースブロック２（図１）に供給し、そのユーザインタフェースブロック２のディスプレイ３３において表示することも可能である。
【０１８８】
さらに、メタデータ制御部２０１は、ステップＳ４２において、再生対象タイトル#nに関するリアルタイムメタデータの出力の準備をする。即ち、メタデータ制御部２０１は、例えば、DVD９２に記録されているタイトルのうちの先頭のタイトル#1から、再生対象タイトル#nの１つ前のタイトル#n-1までの間に存在するGOPの数を認識する（求める）。そして、メタデータ制御部２０１は、記憶部２０２に記憶されているユーザメタデータのリアルタイムデータ領域（図７）の先頭から、認識したGOPの数に256バイトを乗算して得られるバイト数目の位置を、再生対象タイトル#nに関するリアルタイムメタデータの先頭の位置として認識する。
【０１８９】
その後、ステップＳ４２からＳ４３に進み、メタデータ制御部２０１は、再生制御部２０４を制御することにより、DVD９２から再生対象タイトル#nとしての実データの再生を開始させる。
【０１９０】
DVD９２から再生された実データのうちの画像は、図１の端子５５を介して、モニタ１０５に供給されて表示され、また、その実データのうちの音声は、図１の端子５６を介してスピーカ１０６に供給されて出力される。
【０１９１】
また、メタデータ制御部２０１は、再生対象タイトル#nに関するリアルタイムメタデータの出力の準備が完了し、再生対象タイトル#nに関するリアルタイムメタデータの先頭の位置を認識している場合には、ステップＳ４３において、その認識している先頭の位置からのリアルタイムメタデータの出力を開始する。
【０１９２】
即ち、メタデータ制御部２０１は、DVD９２から再生された実データのうちの画像が端子５５から出力されるのに同期して、その画像が含まれていたGOPに関するリアルタイムメタデータを、図１の端子８３または８４を介して、コンピュータ１０３に出力する。これにより、コンピュータ１０３では、モニタ１０５に表示される画像に同期して、リアルタイムメタデータが表示される。
【０１９３】
なお、記録再生制御ブロック６では、再生対象タイトル#nに関するリアルタイムメタデータは、そのリアルタイムメタデータに対応するGOPを構成する画像の垂直同期信号に重畳し、端子５５から出力するようにすることも可能である。
【０１９４】
また、ステップＳ４３で開始された再生対象タイトル#nの再生は、例えば、ユーザが、ユーザインタフェースブロック２（図１）のボタン部３２における「停止」ボタンを操作すると終了する。
【０１９５】
一方、ステップＳ４１において、DVD９２に、ユーザメタデータ領域が確保されていないと判定された場合、ステップＳ４２をスキップして、ステップＳ４３に進み、メタデータ制御部２０１は、上述したように、再生制御部２０４を制御することにより、DVD９２から再生対象タイトル#nとしての実データの再生を開始させる。なお、いま場合、DVD９２に、ユーザメタデータ領域が確保されていないので、ユーザメタデータの出力は行われない（することができない）。
【０１９６】
次に、DVD９２のユーザメタデータ領域（図４）を構成するタイトルインフォ領域に記録されたタイトルメタデータは、編集することができる。
【０１９７】
そこで、図１２のフローチャートを参照して、タイトルメタデータを編集する編集処理について説明する。
【０１９８】
ユーザが、例えば、ユーザインタフェースブロック２（図１）のボタン部３２における「メニュー」ボタンを操作し、さらに、その操作に応じて、ディスプレイ３３に表示されるメニューに対して、タイトルメタデータの編集を行うように操作をすると、メタデータ制御部２０１（図８）は、ステップＳ５１において、図９のステップＳ１乃至Ｓ１０のメタデータ判定処理の処理結果に基づき、DVD９２に、ユーザメタデータ領域が確保されているかどうかを判定する。
【０１９９】
ステップＳ５１において、DVD９２に、ユーザメタデータ領域が確保されていないと判定された場合、タイトルメタデータの編集を行うことはできないので、ステップＳ５２をスキップして、処理を終了する。
【０２００】
また、ステップＳ５１において、DVD９２に、ユーザメタデータ領域が確保されていると判定された場合、図９のユーザメタデータ確認処理のステップＳ１２の処理が行われることによって、ユーザメタデータ領域に記録されているユーザメタデータが、記憶部２０２に記憶されているので、メタデータ制御部２０１（図８）は、記憶部２０２に記憶されているユーザメタデータのうちの、タイトルインフォ領域のタイトルメタデータを読み出し、図１の端子８３または８４を介して、コンピュータ１０３に供給する。これにより、コンピュータ１０３では、タイトルメタデータが表示される。
【０２０１】
その後、ユーザが、コンピュータ１０３を操作することにより、コンピュータ１０３に表示されたタイトルメタデータを編集すると、その編集に対応した編集入力が、コンピュータ１０３から、端子８３または８４を介して、メタデータ制御部２０１に供給される。この場合、メタデータ制御部２０１は、ステップＳ５１からステップＳ５２に進み、コンピュータ１０３からの編集入力に応じて、記憶部２０２に記憶されたタイトルメタデータを編集する。
【０２０２】
即ち、上述したように、タイトル#nのデフォルトのタイトルメタデータとしては、そのタイトル#nとしての画像等を撮影した年月日が書き込まれるが、ユーザが、その年月日に、患者の氏名を追加するように、コンピュータ１０３を操作した場合、メタデータ制御部２０１において、記憶部２０２に記憶されたタイトル#nのタイトルメタデータが、タイトル#nとしての画像等を撮影した年月日に、患者の氏名を追加したタイトルメタデータに変更される。
【０２０３】
その後、ユーザが、ディスプレイ３３に表示されたメニューに対して、タイトルメタデータの編集を終了するように操作をすると、メタデータ制御部２０１は、記録制御部２０３を制御することにより、記憶部２０２に記憶された（編集後の）タイトルメタデータを、DVD９２に記録させ（上書きさせ）、処理を終了する。
【０２０４】
以上のように、DVDの規格で規定されている、タイトル（実データ）#nのメタデータALT_REC_NMを含む制御情報VRMI_RECI#nに、メタデータALT_REC_NMとは別のユーザメタデータが記録されるユーザメタデータ領域がDVDに確保されているかどうかを表すフラグ情報としてのユーザメタデータフラグを含ませ、そのユーザメタデータフラグに基づいて、ユーザメタデータ領域がDVD９２に確保されているかどうかを判定し、ユーザメタデータ領域がDVD９２に確保されていないと判定された場合には、DVD９２のタイトル（記録対象タイトル）が記録される領域の先頭に、ユーザメタデータ領域を確保するようにしたので、DVDの規格にしたがいつつ、自由度の高いユーザメタデータの記録をすることができる。
【０２０５】
さらに、ユーザメタデータ領域がDVD９２に確保されていると判定された場合には、そのユーザメタデータ領域に記録されたユーザメタデータを読み出すようにしたので、ユーザは、自由度の高いユーザメタデータを利用することができる。
【０２０６】
ここで、一般的なDVDプレーヤ(DVD-Video player)は、DVD上に形成される"VIDEO_TS"フォルダ内の情報のみを参照して、タイトルを再生する。"VIDEO_TS"フォルダには、ユーザメタデータ領域へのリンクの情報が含まれないので、一般的なDVDプレーヤでは、ユーザメタデータ領域の存在を認識せずに（できずに）、タイトルの再生を行うことができる。
【０２０７】
なお、本実施の形態では、図１のCPU６１に実行させるプログラムを、フラッシュメモリ６２に記憶させておく（インストールしておく）ようにしたが、プログラムは、その他、フレキシブルディスク、CD-ROM(Compact Disc Read Only Memory)，MO(Magneto Optical)ディスク，DVD、磁気ディスク、半導体メモリなどのリムーバブル記録媒体に、一時的あるいは永続的に格納（記録）し、いわゆるパッケージソフトウエアとして提供して、図１のDVDレコーダにインストールすることができる。
【０２０８】
また、プログラムは、上述したようなリムーバブル記録媒体から図１のDVDレコーダにインストールする他、ダウンロードサイトから、ディジタル衛星放送用の人工衛星を経由し、あるいは、LAN(Local Area Network)、インターネットといったネットワークを経由し、端子８３や、８４、８５を介して、図１のDVDレコーダに転送してフラッシュメモリ６２にインストールすることができる。
【０２０９】
ここで、本明細書において、CPU（コンピュータ）に各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０２１０】
また、プログラムは、１のCPUにより処理されるものであっても良いし、複数のCPUによって分散処理されるものであっても良い。
【０２１１】
さらに、上述した一連の処理は、汎用のCPUにプログラムを実行させることにより行う他、専用のハードウェアによって行うことも可能である。
【０２１２】
なお、上述したユーザメタデータ領域、ひいては、タイトルインフォ領域やリアルタイムメタデータ領域のサイズは、例示であり、上述したサイズに限定されるものではない。
【０２１３】
さらに、本実施の形態では、タイトルが記録される領域の先頭の領域に、ユーザメタデータ領域を確保するようにしたが、その他、ユーザメタデータ領域は、タイトルが記録される領域の途中の領域や、最後の領域に確保することも可能である。但し、ユーザメタデータ領域を確保する領域の位置は、ユーザメタデータ領域にアクセスすることができるように、例えば、あらかじめ決めておく必要がある。
【０２１４】
また、本実施の形態では、図１のDVDレコーダにおいて、医療機器１０４が出力する実データを、DVD９２に記録するようにしたが、図１のDVDレコーダにおいてDVD９２に記録する実データは、医療機器１０４が出力する実データに限定されるものではなく、例えば、一般ユーザ向けのDVDレコーダと同様に、テレビジョン放送番組等であっても良い。
【０２１５】
さらに、本実施の形態では、所定の規格にしたがって、実データと、その実データの再生を制御するのに用いられる制御情報とが記録される記録媒体として、DVDを採用したが、所定の規格にしたがって実データと制御情報とが記録される記録媒体は、DVDに限定されるものではなく、例えば、DVD以外のディスク状の記録媒体や、リムーバブルな半導体メモリなどであっても良い。
【図面の簡単な説明】
【０２１６】
【図１】本発明を適用したDVDレコーダの一実施の形態の構成例を示すブロック図である。
【図２】DVD９２の記録内容を模式的に示した図である。
【図３】制御情報であるテーブル情報が格納される幾つかのファイルと、そのファイルに格納される制御情報の内容とを示す図である。
【図４】DVD９２の論理的な記録フォーマットを示す図である。
【図５】VRMIのフォーマットを示す図である。
【図６】ユーザメタデータ領域を構成するタイトルインフォ領域のフォーマットを示す図である。
【図７】ユーザメタデータ領域を構成するリアルタイムメタデータ領域のフォーマットを示す図である。
【図８】記録再生制御ブロック６の機能的構成例を示すブロック図である。
【図９】ユーザメタデータ確認処理を説明するフローチャートである。
【図１０】記録処理を説明するフローチャートである。
【図１１】再生処理を説明するフローチャートである。
【図１２】編集処理を説明するフローチャートである。
【符号の説明】
【０２１７】
１  電源スイッチブロック，  ２  ユーザインタフェースブロック，  ３  リモートコントロールインタフェースブロック，  ４  パワーユニット，  ５  AVインタフェースブロック，  ６  記録再生制御ブロック，  ７  ファン，  ８  HDドライブ，  ９  DVDドライブ，  ２１  電源ボタン，  ３１  マイクロコンピュータ，  ３２  ボタン部，  ３３  ディスプレイ，  ６０  バス，  ６１  CPU，  ６２  フラッシュメモリ，  ６３  SDRAM，  ６４  PHY部，  ６５  IEEE1394インタフェース，  ６６，６７  ベースバンドスイッチ，  ６８  コーデック，  ６９  SDRAM，  ７０  ATAPIドライバ，  ７１  SDRAM，  ７２，７３  A/Dコンバータ，  ７４，７５  D/Aコンバータ，  ９１  HD，  ９２  DVD，  １０１  リモートコントローラ，  １０２  フットスイッチ，  １０３  コンピュータ，  １０４  医療機器，  １０５  モニタ，  １０６  スピーカ，  ２０１  メタデータ制御部，  ２０２  記憶部，  ２０３  記録制御部，  ２０４  再生制御部
【図１】
2006302445.tif 000003
【図２】
2006302445.tif 000004
【図３】
2006302445.tif 000005
【図４】
2006302445.tif 000006
【図５】
2006302445.tif 000007
【図６】
2006302445.tif 000008
【図７】
2006302445.tif 000009
【図８】
2006302445.tif 000010
【図９】
2006302445.tif 000011
【図１０】
2006302445.tif 000012
【図１１】
2006302445.tif 000013
【図１２】
2006302445.tif 000014